(57)【要約】【課題】お骨を土に返す納骨室の構造において、多数の筒状の納骨室を土盛に差し込んで、墓地面積の有効活用が図れ、隣接する他の納骨室との隙間を少なくできるようにする。【解決手段】図示しない概略半球状の土盛に対し、多数の無底筒状の納骨室３を、互いに隣接して放射状に差し込み、概略半球状の納骨室丘を構成する。各納骨室３は蓋５で覆う。この筒状の納骨室３の横断面形状は、正６角形であり、よって隣接する他の納骨室３との隙間を無くせる。【選択図】図1
2005076227.tif 000002
【特許請求の範囲】
【請求項１】
概略半球状の土盛と、この土盛に対し、多数が隣接して放射状に差し込まれた無底筒状の納骨室と、各納骨室を覆う蓋と、を有することを特徴とする納骨室丘の構造。
【請求項２】
表面が曲面で形成され、土盛に対し、多数の無底筒状の納骨室が隣接して放射状に差し込まれ、この差し込まれる方向は前記曲面に対し概略垂直であり、各前記納骨室は蓋で覆われとことを特徴とする納骨室丘の構造。
【請求項３】
前記筒状の納骨室は、横断面形状が正６角形であり、よって隣接する他の納骨室との隙間が少なくなるようにされていることを特徴とする請求項１、または２に記載の納骨室丘の構造。
【請求項４】
前記納骨室丘の頂部に対し上端が平面内で回動自在に取り付けられた回動ステップと、この回動ステップの下端を案内するために前記納骨室丘のふもと周囲に設けられた案内レールと、を備えたことを特徴とする請求項１、または３に記載の納骨室丘の構造。
【発明の詳細な説明】
【技術分野】
【０００１】
この発明は、お骨を土に返す納骨室の構造に関する。
【背景技術】
【０００２】
従来のお骨を土に返す納骨室の構造として、土盛に対し、多数の無底筒状の納骨室を隣接して差し込んだ構造のものが、下記の特許文献１に記載される。
【特許文献１】実用新案登録第０９３２１０号  この構造によれば、納骨室に収めたお骨は、無底の部分で土に触れ、やがて土に返ることができる。そして、多数の納骨室を設けることができ、狭い墓地の面積を有効活用できる。
【発明の開示】
【発明が解決しようとする課題】
【０００３】
しかしながら、以上の技術によれば、土盛に対し、筒状の納骨室を差し込む方向が鉛直方向であり、このため、土盛にすることによる墓地面積の有効活用は望めず、有効活用の程度は、平坦地に差し込んだのと同じに過ぎない。
また、以上の納骨室の横断面形状は、円形または四角形であるために、隣接する他の納骨室との隙間が大きくなり、墓地面積の有効に無駄があった。
そこで、この発明は、多数の筒状の納骨室を平坦地に差し込んだ以上の墓地面積の有効活用が図れ、隣接する他の納骨室との隙間を少なくできる納骨室丘の構造を提供することを課題とする。
【課題を解決するための手段】
【０００４】
以上の課題を解決するために、第一発明は、概略半球状の土盛と、この土盛に対し、多数が隣接して放射状に差し込まれた無底筒状の納骨室と、各納骨室を覆う蓋と、を有することを特徴とする納骨室丘の構造である。
第二発明は、表面が曲面で形成され、土盛に対し、多数の無底筒状の納骨室が隣接して放射状に差し込まれ、この差し込まれる方向は前記曲面に対し概略垂直であり、各前記納骨室は蓋で覆われとことを特徴とする納骨室丘の構造である。
第３発明は、更に、前記筒状の納骨室は、横断面形状が正６角形であり、よって隣接する他の納骨室との隙間が少なくなるようにされていることを特徴とする納骨室丘の構造である。
第四発明は、更に、前記納骨室丘の頂部に対し上端が平面内で回動自在に取り付けられた回動ステップと、この回動ステップの下端を案内するために前記納骨室丘のふもと周囲に設けられた案内レールと、を備えたことを特徴とする納骨室丘の構造である。
【発明の効果】
【０００５】
第一発明、第三発明、または第四発明によれば、概略半球状の土盛に対し、筒状の納骨室を放射状に差し込んだことで、平坦地に差し込んだ以上の墓地面積の有効活用が図れる。
第二発明によれば、土盛に対し筒状の納骨室を放射状に差し込み、特に、差し込まれる方向を、納骨室丘の曲面に対し概略垂直としたことで、平坦地に差し込んだ以上の墓地面積の有効活用が図れる。
また、第三発明によれば、更に、筒状の納骨室の横断面形状を正６角形とすることで、隣接する他の納骨室との隙間を省くことができ、墓地面積の更なる有効活用が図れる。
また、第四発明によれば、更に、回動ステップが納骨室丘の表面周囲を回動できるので、大きな納骨室丘であっても、回動ステップを任意の位置に回動させ、その回動ステップに上ることで、納骨室丘の表面周囲の任意位置の納骨室に対して、お骨の出し入れや御参りを行うことができる。
【発明を実施するための最良の形態】
【０００６】
この発明の実施形態を、図１及び図２に示す。
図１に示すように、この実施形態に係る納骨室丘１は、全体が球の一部、いわば概略半球状を構成する滑らかな曲面を形成する。各納骨室３は、横断面形状が正６角形で無底の筒状あり、多数が互いに隣接して配置され、球状に対し放射状に位置する。このような位置づけは、図示しない概略半球状の土盛に対し差し込まれ、この差し込まれる方向が、前記曲面に対し概略垂直とすることで、なされる。
【０００７】
図２に示すように、各納骨室３を覆う蓋５も、正６角形である。この蓋５の裏側に形成され、筒状の納骨室３の先端内側に嵌合する嵌合部７も正６角形である。
納骨室丘１の頂部には、碑文が刻まれるシンボルタワー９が据え付けられる。このシンボルタワー９の真下には、図示しない柱状の空間が形成されており、シンボルタワー９の一部に形成された図示しない扉から、柱状の空間へ散骨することができる。
このシンボルタワー９の基部周囲には、基部を中心に回動する回動リング１１がはめ込まれている。この回動リング１１に対し、回動ステップ１３の上端が固定される。この回動ステップ１３の下端を案内するために、納骨室丘１のふもと周囲に、案内レール１５が円形に配置される。そして回動ステップ１３の下端に設けられた図示しないローラが案内レール１５によって案内される。
【０００８】
「実施形態の効果」
この実施形態によれば、筒状の納骨室３を放射状に差し込んだことで、平坦地に差し込んだ以上の墓地面積の有効活用が図れる。すなわち、概略半球状の形状によって増加した面積の分だけ、多くの納骨室３を設けることができる。
【０００９】
また、筒状の納骨室３は、無底であり、納骨室３に収めたお骨は、無底の部分で土盛の土に触れ、やがて土に返ることができる。
更に、筒状の納骨室３の横断面形状を正６角形とすることで、隣接する他の納骨室３との隙間をほとんど無くすことができ（図２（Ａ）参照）、概略半球状の面積の更なる有効活用が図れる。
また、回動ステップ１３が、概略半球状の納骨室丘１の表面周囲を回動できるので、大きな納骨室丘１であっても、回動ステップ１３を任意の位置に例えば手動で回動させ、その回動ステップ１３に御参りの人が上ることで、納骨室丘１の表面の任意位置の納骨室３に対して御参りを行うことができる。
【００１０】
「他の実施形態」
この明細書でいう概略半球状とは、必ずしも球状の正確な半分を意味せず、図１に示すような半分より更に少ない球の一部であることも含む。また、必ずしも正確な球形を意味せず、楕円の回転体の一部をも含む。
【００１１】
また、以上の実施形態では、概略半球状の土盛に対し納骨室３を差し込んだものとしたが、他の実施形態では、土盛の形状は必ずしも概略半球状である必要は無く、完成した納骨室丘１の表面が概略半球状の曲面などであれば良い。この内容は第四発明に含まれる。
また、以上の実施形態では、完成した納骨室丘１の表面が概略半球状の曲面であったが、他の実施形態では、完成した納骨室丘１の表面は、他のさまざまな曲面であっても良い。例えば、日本の古代の古墳をほうふつとさせるような、ひょうたん型を縦に二分した形状であっても良い。
【００１２】
この場合に、土盛の形状は、完成した納骨室丘１の表面形状に類似することが望ましいが、必ずしも類似する必要は無い。土盛に対し差し込まれる方向は、完成した納骨室丘１の表面の曲面に対し概略垂直である。概略垂直としたことで、平坦地に差し込んだ以上の墓地面積の有効活用が図れる。
【００１３】
また、以上の実施形態では、回動ステップ１３の上端は、シンボルタワー９の基部を中心に回動する回動リング１１に固定されるとしたが、他の実施形態では、シンボルタワー９の基部周囲に設けられた案内レールに案内されるものとしても良い。この案内レールは、例えば、パイプ状の円形断面の棒材がリング状に配置されたものでも良い。このとき、回動ステップ１３の上端には、前記パイプ状の円形断面を受ける形状のローラが設けられても良い。
【００１４】
また、以上の実施形態では、回動ステップ１３の下端を案内するために、納骨室丘１のふもと周囲に、案内レール１５が円形に配置されるものとしたが、他の実施形態では、案内レールの代わりに溝を円形に形成しても良い。
【図面の簡単な説明】
【００１５】
【図１】この発明の一実施形態に係る納骨室丘の全体側面図である。
【図２】図１の各納骨室を示すもので、（Ａ）は納骨室が互いに隣り合う状態を示す斜視図（Ｂ）は（Ａ）の納骨室を覆う蓋の斜視図（Ｃ）は（Ｂ）の蓋の裏側を示す斜視図である。
【符号の説明】
【００１６】
１…納骨室丘、３…納骨室、５…蓋、７…嵌合部、９…シンボルタワー、１１…回動リング、１３…回動ステップ、１５…案内レール。
【図１】
2005076227.tif 000003
【図２】
2005076227.tif 000004